(57)【要約】【課題】ノズルの芯出しを自動化することができるノズル芯出し装置を提供する。【解決手段】ビーム変位機構（ガルバノスキャナユニット３２）は、加工ヘッドの先端に取り付けられたノズルの開口より射出されるレーザビームを変位させる。光センサ９３は、入射されるレーザビームの強度に応じたセンサ出力値を生成する。ビーム変位制御部５０４は、ビーム変位機構によるレーザビームの変位を制御する。中心算出部５０３は、ビーム変位制御部５０４がビーム変位機構によるレーザビームの変位を制御してレーザビームが開口の端部の少なくとも３点に照射されたとき、光センサ９３が生成したセンサ出力値に基づいて少なくとも３点の位置を検出し、検出した少なくとも３点の位置に基づいて、開口の中心点を算出する。ビーム変位制御部５０４は、開口より射出されるレーザビームを、中心算出部５０３が算出した中心点に位置させるようにビーム変位機構を制御する。【選択図】図３１
2019155403.tif 000002
【特許請求の範囲】
【請求項１】
加工ヘッドの先端に取り付けられたノズルの開口より射出されるレーザビームを変位させるビーム変位機構と、
前記開口より射出されたレーザビームが入射され、入射されるレーザビームの強度に応じたセンサ出力値を生成する光センサと、
前記ビーム変位機構によるレーザビームの変位を制御するビーム変位制御部と、
前記ビーム変位制御部が前記ビーム変位機構によるレーザビームの変位を制御してレーザビームが前記加工ヘッドの内周面に接する前記開口の端部の少なくとも３点に照射されたとき、前記光センサが生成したセンサ出力値に基づいて前記少なくとも３点の位置を検出し、検出した前記少なくとも３点の位置に基づいて、前記開口の中心点を算出する中心算出部と、
を備え、
前記ビーム変位制御部は、前記開口より射出されるレーザビームを、前記中心算出部が算出した前記中心点に位置させるように前記ビーム変位機構を制御する
ことを特徴とするレーザ加工機におけるノズル芯出し装置。
【請求項２】
前記ビーム変位制御部は、レーザビームを第１の方向に変位させるよう前記ビーム変位機構を制御し、
前記中心算出部は、レーザビームが前記第１の方向に変位されたときの前記開口の端部の第１及び第２の点を検出して、前記第１及び第２の点を結ぶ第１の線の第１の中央位置を算出し、
前記ビーム変位制御部は、さらに、レーザビームを前記第１の中央位置を通って前記第１の線と直交する第２の方向に変位させるよう前記ビーム変位機構を制御し、
前記中心算出部は、さらに、レーザビームが前記第２の方向に変位されたときの前記開口の端部の第３及び第４の点を検出して、前記第３及び第４の点を結ぶ第２の線の第２の中央位置を前記中心点として算出し、
前記ビーム変位制御部は、前記開口より射出されるレーザビームを、前記第２の中央位置に位置させるように前記ビーム変位機構を制御する
ことを特徴とする請求項１に記載のレーザ加工機におけるノズル芯出し装置。
【請求項３】
前記ビーム変位制御部は、前記中心点に位置しているレーザビームを前記開口の半径だけ変位させ、前記中心点を中心として周回させるように前記ビーム変位機構を制御し、
レーザビームが周回しているときに前記光センサが生成したセンサ出力値が設定範囲内に収まっているか否かに基づいて、前記開口の形状が正常であるか否かを判定する形状判定部をさらに備える
ことを特徴とする請求項１または２に記載のレーザ加工機におけるノズル芯出し装置。
【請求項４】
加工ヘッドの先端に取り付けられたノズルの開口より射出されるレーザビームを変位させるビーム変位機構と、
前記開口より射出されたレーザビームが入射され、入射されるレーザビームの強度に応じたセンサ出力値を生成する光センサと、
前記開口内の任意の位置に位置しているレーザビームを前記開口の半径だけ変位させ、前記任意の位置を中心として周回させるように前記ビーム変位機構を制御するビーム変位制御部と、
レーザビームが周回しているときに前記光センサが生成したセンサ出力値が設定範囲内に収まっているか否かを判定し、前記センサ出力値が設定範囲内に収まっていないと判定したとき、前記開口の中心点に対する前記任意の位置のずれの方向を算出し、前記センサ出力値が前記設定範囲内に収まっていると判定したとき、レーザビームは前記開口の中心点に位置していると判定するずれ方向算出部と、
を備えることを特徴とするレーザ加工機におけるノズル芯出し装置。
【請求項５】
前記ずれ方向算出部が、前記センサ出力値が設定範囲内に収まっていないと判定したとき、前記センサ出力値が前記設定範囲内に収まっていると判定するまで、前記ビーム変位制御部は、前記開口内のレーザビームを前記任意の位置から前記ずれ方向算出部によって算出されたずれの方向とは反対方向へと変位させるように前記ビーム変位機構を制御することを特徴とする請求項４に記載のレーザ加工機におけるノズル芯出し装置。
【請求項６】
加工ヘッドの先端に取り付けられたノズルの開口より射出されるレーザビームを、ビーム変位機構によって、前記加工ヘッドの内周面に接する前記開口の端部の少なくとも３点に照射するように変位させ、
前記開口より射出されたレーザビームを光センサによって受光し、受光したレーザビームの強度に応じたセンサ出力値を生成し、
中心算出部が、前記光センサが生成したセンサ出力値に基づいて前記少なくとも３点の位置を検出し、検出した前記少なくとも３点の位置に基づいて、前記開口の中心点を算出し、
ビーム変位制御部が、前記開口より射出されるレーザビームを、前記中心算出部が算出した前記中心点に位置させるように前記ビーム変位機構を制御する
ことを特徴とするレーザ加工機におけるノズル芯出し方法。
【請求項７】
前記ビーム変位制御部が、レーザビームを第１の方向に変位させるよう前記ビーム変位機構を制御し、
前記中心算出部が、レーザビームが前記第１の方向に変位されたときの前記開口の端部の第１及び第２の点を検出して、前記第１及び第２の点を結ぶ第１の線の第１の中央位置を算出し、
前記ビーム変位制御部が、さらに、レーザビームを前記第１の中央位置を通って前記第１の線と直交する第２の方向に変位させるよう前記ビーム変位機構を制御し、
前記中心算出部が、さらに、レーザビームが前記第２の方向に変位されたときの前記開口の端部の第３及び第４の点を検出して、前記第３及び第４の点を結ぶ第２の線の第２の中央位置を前記中心点として算出し、
前記ビーム変位制御部が、前記開口より射出されるレーザビームを、前記第２の中央位置に位置させるように前記ビーム変位機構を制御する
ことを特徴とする請求項６に記載のレーザ加工機におけるノズル芯出し方法。
【請求項８】
前記ビーム変位制御部が、前記中心点に位置しているレーザビームを前記開口の半径だけ変位させ、前記中心点を中心として周回させるように前記ビーム変位機構を制御し、
形状判定部が、レーザビームが周回しているときに前記光センサが生成したセンサ出力値が設定範囲内に収まっているか否かに基づいて、前記開口の形状が正常であるか否かを判定する
ことを特徴とする請求項６または７に記載のレーザ加工機におけるノズル芯出し方法。
【請求項９】
加工ヘッドの先端に取り付けられたノズルの開口内の任意の位置に位置しており、前記開口より射出されるレーザビームを、ビーム変位機構によって、前記開口の半径だけ変位させ、前記任意の位置を中心として周回させ、
前記開口より射出されたレーザビームを光センサによって受光し、受光したレーザビームの強度に応じたセンサ出力値を生成し、
ずれ方向算出部が、レーザビームが周回しているときに前記光センサが生成したセンサ出力値が設定範囲内に収まっているか否かを判定し、
前記ずれ方向算出部が、前記センサ出力値が設定範囲内に収まっていないと判定したとき、前記開口の中心点に対する前記任意の位置のずれの方向を算出し、
前記ずれ方向算出部が、前記センサ出力値が前記設定範囲内に収まっていると判定したとき、レーザビームは前記開口の中心点に位置していると判定する
ことを特徴とするレーザ加工機におけるノズル芯出し方法。
【請求項１０】
前記ずれ方向算出部が、前記センサ出力値が設定範囲内に収まっていないと判定したとき、前記センサ出力値が前記設定範囲内に収まっていると判定するまで、ビーム変位制御部が、前記開口内のレーザビームを前記任意の位置から前記ずれ方向算出部によって算出されたずれの方向とは反対方向へと変位させるように前記ビーム変位機構を制御することを特徴とする請求項９に記載のレーザ加工機におけるノズル芯出し方法。
【発明の詳細な説明】
【技術分野】
【０００１】
本開示は、レーザビームによって板金を加工するレーザ加工機におけるノズル芯出し装置及びノズル芯出し方法に関する。
【背景技術】
【０００２】
レーザ発振器より射出されたレーザビームによって板金を切断して、所定の形状を有する製品を製作するレーザ加工機が普及している。板金を良好に加工するには、加工ヘッドの先端に装着されているノズルの円形の開口の中心点にレーザビームを位置させるよう調整することが必要である（特許文献１または２参照）。レーザビームを開口の中心点に位置させることをノズルの芯出しと称している。
【先行技術文献】
【特許文献】
【０００３】
【特許文献１】特開２００３−２２５７８７号公報
【特許文献２】特開２０１１−１１５８０６号公報
【発明の概要】
【発明が解決しようとする課題】
【０００４】
ノズルの開口の中心点にレーザビームを位置させるよう調整する調整方法として、次のような方法が用いられている。集束レンズまたはノズルをレーザビームの光軸と直交する方向に移動させる調整機構が設けられる。オペレータは、レーザビームが開口の中心点に位置するように調整機構によって集束レンズまたはノズルを移動させる。一例として、オペレータは、ノズルの先端にテープを貼って低パワーのレーザビームを照射して、レーザビームが開口の中心点に位置しているか否かを確認する。
【０００５】
確認の結果、レーザビームが開口の中心点に位置していなければ、調整機構による集束レンズまたはノズルの移動を繰り返す。確認の結果、レーザビームが開口の中心点に位置していれば、ノズルの芯出しが完了する。
【０００６】
このような手作業によるノズルの芯出し作業、及び、レーザビームが開口の中心点に位置しているか否かの目視による確認作業は煩雑である。ノズルの芯出し作業を正確に行うにはオペレータの熟練度を高める必要があり、熟練度の低いオペレータにとっては容易ではない。ノズルの芯出しを自動化することが望まれる。
【０００７】
１またはそれ以上の実施形態は、ノズルの芯出しを自動化することができるレーザ加工機におけるノズル芯出し装置及びノズル芯出し方法を提供することを目的とする。
【課題を解決するための手段】
【０００８】
１またはそれ以上の実施形態の第１の態様によれば、加工ヘッドの先端に取り付けられたノズルの開口より射出されるレーザビームを変位させるビーム変位機構と、前記開口より射出されたレーザビームが入射され、入射されるレーザビームの強度に応じたセンサ出力値を生成する光センサと、前記ビーム変位機構によるレーザビームの変位を制御するビーム変位制御部と、前記ビーム変位制御部が前記ビーム変位機構によるレーザビームの変位を制御してレーザビームが前記加工ヘッドの内周面に接する前記開口の端部の少なくとも３点に照射されたとき、前記光センサが生成したセンサ出力値に基づいて前記少なくとも３点の位置を検出し、検出した前記少なくとも３点の位置に基づいて、前記開口の中心点を算出する中心算出部とを備え、前記ビーム変位制御部は、前記開口より射出されるレーザビームを、前記中心算出部が算出した前記中心点に位置させるように前記ビーム変位機構を制御することを特徴とするレーザ加工機におけるノズル芯出し装置が提供される。
【０００９】
１またはそれ以上の実施形態の第２の態様によれば、加工ヘッドの先端に取り付けられたノズルの開口より射出されるレーザビームを変位させるビーム変位機構と、前記開口より射出されたレーザビームが入射され、入射されるレーザビームの強度に応じたセンサ出力値を生成する光センサと、前記開口内の任意の位置に位置しているレーザビームを前記開口の半径だけ変位させ、前記任意の位置を中心として周回させるように前記ビーム変位機構を制御するビーム変位制御部と、レーザビームが周回しているときに前記光センサが生成したセンサ出力値が設定範囲内に収まっているか否かを判定し、前記センサ出力値が設定範囲内に収まっていないと判定したとき、前記開口の中心点に対する前記任意の位置のずれの方向を算出し、前記センサ出力値が前記設定範囲内に収まっていると判定したとき、レーザビームは前記開口の中心点に位置していると判定するずれ方向算出部とを備えることを特徴とするレーザ加工機におけるノズル芯出し装置が提供される。
【００１０】
１またはそれ以上の実施形態の第３の態様によれば、加工ヘッドの先端に取り付けられたノズルの開口より射出されるレーザビームを、ビーム変位機構によって、前記加工ヘッドの内周面に接する前記開口の端部の少なくとも３点に照射するように変位させ、前記開口より射出されたレーザビームを光センサによって受光し、受光したレーザビームの強度に応じたセンサ出力値を生成し、中心算出部が、前記光センサが生成したセンサ出力値に基づいて前記少なくとも３点の位置を検出し、検出した前記少なくとも３点の位置に基づいて、前記開口の中心点を算出し、ビーム変位制御部が、前記開口より射出されるレーザビームを、前記中心算出部が算出した前記中心点に位置させるように前記ビーム変位機構を制御することを特徴とするレーザ加工機におけるノズル芯出し方法が提供される。
【００１１】
１またはそれ以上の実施形態の第４の態様によれば、加工ヘッドの先端に取り付けられたノズルの開口内の任意の位置に位置しており、前記開口より射出されるレーザビームを、ビーム変位機構によって、前記開口の半径だけ変位させ、前記任意の位置を中心として周回させ、前記開口より射出されたレーザビームを光センサによって受光し、受光したレーザビームの強度に応じたセンサ出力値を生成し、ずれ方向算出部が、レーザビームが周回しているときに前記光センサが生成したセンサ出力値が設定範囲内に収まっているか否かを判定し、前記ずれ方向算出部が、前記センサ出力値が設定範囲内に収まっていないと判定したとき、前記開口の中心点に対する前記任意の位置のずれの方向を算出し、前記ずれ方向算出部が、前記センサ出力値が前記設定範囲内に収まっていると判定したとき、レーザビームは前記開口の中心点に位置していると判定することを特徴とするレーザ加工機におけるノズル芯出し方法が提供される。
【発明の効果】
【００１２】
１またはそれ以上の実施形態のレーザ加工機におけるノズル芯出し装置及びノズル芯出し方法によれば、ノズルの芯出しを自動化することができる。
【図面の簡単な説明】
【００１３】
【図１】図１は、１またはそれ以上の実施形態のノズル芯出し装置を備えるレーザ加工機の全体的な構成例を示す図である。
【図２】図２は、レーザ加工機が備えるコリメータユニット及び加工ヘッドの詳細な構成例を示す斜視図である。
【図３】図３は、レーザ加工機が備えるビーム変位機構によるレーザビームの板金への照射位置の変位を説明するための図である。
【図４】図４は、レーザ加工機が備える光センサユニットの構成例を示す断面図である。
【図５】図５は、実施例１によるノズル芯出し方法の第１の手順を示す概念図である。
【図６】図６は、図５に示す第１の手順によるレーザビームの変位及び光センサが生成するセンサ出力値を示す波形図である。
【図７】図７は、実施例１の第２の手順を示す概念図である。
【図８】図８は、実施例１の第３の手順を示す概念図である。
【図９】図９は、実施例１を示すフローチャートである。
【図１０】図１０は、実施例２によるノズル芯出し方法の手順を示す概念図である。
【図１１】図１１は、実施例３によるノズル芯出し方法の手順を示す概念図である。
【図１２】図１２は、実施例４によるノズル芯出し方法の手順を示す概念図である。
【図１３】図１３は、ノズルの開口の形状異常の例を示す概念図である。
【図１４】図１４は、図１３に示すノズルの開口の端部に沿ってレーザビームを周回させている状態を示す概念図である。
【図１５Ａ】図１５Ａは、開口の形状が正常なノズルの開口の端部に沿ってレーザビームを周回させたときに生成されるセンサ出力値を示す波形図である。
【図１５Ｂ】図１５Ｂは、図１３に示すノズルの開口の端部に沿ってレーザビームを周回させたときに生成されるセンサ出力値を示す波形図である。
【図１６】図１６は、実施例５によるノズル芯出し方法を示すフローチャートである。
【図１７】図１７は、実施例６によるノズル芯出し方法において、レーザビームの位置がノズルの開口の中心点と一致している状態で、開口の端部に沿ってレーザビームを周回させている状態を示す概念図である。
【図１８】図１８は、図１７に示すレーザビームの変位及び図１７に示すようにレーザビームを変位させたときに光センサが生成するセンサ出力値を示す波形図である。
【図１９】図１９は、実施例６において、レーザビームの位置がノズルの開口の中心点と一致していない状態で、開口の端部に沿ってレーザビームを周回させている状態を示す概念図である。
【図２０】図２０は、図１９に示すレーザビームの変位及び図１９に示すようにレーザビームを変位させたときに光センサが生成するセンサ出力値を示す波形図である。
【図２１Ａ】図２１Ａは、実施例６において、レーザビームの位置がノズルの開口の中心点に対して＋Ｘ方向にずれたときに生成されるセンサ出力値を示す波形図である。
【図２１Ｂ】図２１Ｂは、実施例６において、レーザビームの位置がノズルの開口の中心点に対して−Ｘ方向にずれたときに生成されるセンサ出力値を示す波形図である。
【図２１Ｃ】図２１Ｃは、実施例６において、レーザビームの位置がノズルの開口の中心点に対して＋Ｙ方向にずれたときに生成されるセンサ出力値を示す波形図である。
【図２１Ｄ】図２１Ｄは、実施例６において、レーザビームの位置がノズルの開口の中心点に対して−Ｙ方向にずれたときに生成されるセンサ出力値を示す波形図である。
【図２１Ｅ】図２１Ｅは、実施例６において、レーザビームの位置がノズルの開口の中心点に対して＋Ｘ及び＋Ｙ方向にずれたときに生成されるセンサ出力値を示す波形図である。
【図２１Ｆ】図２１Ｆは、実施例６において、レーザビームの位置がノズルの開口の中心点に対して＋Ｘ及び−Ｙ方向にずれたときに生成されるセンサ出力値を示す波形図である。
【図２１Ｇ】図２１Ｇは、実施例６において、レーザビームの位置がノズルの開口の中心点に対して−Ｘ及び＋Ｙ方向にずれたときに生成されるセンサ出力値を示す波形図である。
【図２１Ｈ】図２１Ｈは、実施例６において、レーザビームの位置がノズルの開口の中心点に対して−Ｘ及び−Ｙ方向にずれたときに生成されるセンサ出力値を示す波形図である。
【図２２】図２２は、実施例６によるノズル芯出し方法を示すフローチャートである。
【図２３】図２３は、実施例６によって設定範囲内に収まっていないセンサ出力値が設定範囲内に収まっていく波形の変化の例を示す波形図である。
【図２４】図２４は、実施例７によるノズル芯出し方法のを示すフローチャートである。
【図２５】図２５は、実施例７によるノズル芯出し方法の一部の手順を示す概念図である。
【図２６】図２６は、実施例８によるノズル芯出し方法を示すフローチャートである。
【図２７】図２７は、実施例８によるノズル芯出し方法の一部の手順を示す概念図である。
【図２８】図２８は、加工ヘッドに取り付けられているノズルのノズル径が加工条件で設定されているノズル径と異なる場合の実施例８によるノズル芯出し方法の一部の手順を示す概念図である。
【図２９】図２９は、実施例９によるノズル芯出し方法を示す概念図である。
【図３０】図３０は、実施例１０によるノズル芯出し方法を示す概念図である。
【図３１】図３１は、実施例１〜５、９及び１０によるノズル芯出し方法を実行するＮＣ装置の機能的な内部構成例を示すブロック図である。
【図３２】図３２は、実施例６〜８によるノズル芯出し方法を実行するＮＣ装置の機能的な内部構成例を示すブロック図である。
【図３３】図３３は、レーザビームの平行振動パターンを示す図である。
【図３４】図３４は、レーザビームの直交振動パターンを示す図である。
【発明を実施するための形態】
【００１４】
以下、１またはそれ以上の実施形態のレーザ加工機におけるノズル芯出し装置及びノズル芯出し方法について、添付図面を参照して説明する。図１を用いて、１またはそれ以上の実施形態のノズル芯出し装置を備え、１またはそれ以上の実施形態のノズル芯出し方法を実行するレーザ加工機１００の全体的な構成及び動作を説明する。
【００１５】
図１において、レーザ加工機１００は、レーザビームを生成して射出するレーザ発振器１０と、レーザ加工ユニット２０と、レーザ発振器１０より射出されたレーザビームをレーザ加工ユニット２０へと伝送するプロセスファイバ１２とを備える。
【００１６】
また、レーザ加工機１００は、操作部４０と、表示部４２と、ＮＣ装置５０と、加工プログラムデータベース６０と、加工条件データベース７０と、アシストガス供給装置８０と、光センサユニット９０とを備える。ＮＣ装置５０は、レーザ加工機１００の各部を制御する制御装置の一例である。
【００１７】
光センサユニット９０は、レーザ加工ユニット２０における加工テーブル２１の端部に隣接した位置に配置されている。光センサユニット９０は、後述するノズル３６を自動的に交換するノズルチェンジャに設けられていてもよいし、ノズルチェンジャとは独立して設けられていてもよい。光センサユニット９０及びＮＣ装置５０は、ノズル芯出し装置の一部を構成する。
【００１８】
レーザ発振器１０としては、レーザダイオードより発せられる励起光を増幅して所定の波長のレーザビームを射出するレーザ発振器、またはレーザダイオードより発せられるレーザビームを直接利用するレーザ発振器が好適である。レーザ発振器１０は、例えば、固体レーザ発振器、ファイバレーザ発振器、ディスクレーザ発振器、ダイレクトダイオードレーザ発振器（ＤＤＬ発振器）である。
【００１９】
レーザ発振器１０は、波長９００ｎｍ〜１１００ｎｍの１μｍ帯のレーザビームを射出する。ファイバレーザ発振器及びＤＤＬ発振器を例とすると、ファイバレーザ発振器は、波長１０６０ｎｍ〜１０８０ｎｍのレーザビームを射出し、ＤＤＬ発振器は、波長９１０ｎｍ〜９５０ｎｍのレーザビームを射出する。
【００２０】
レーザ加工ユニット２０は、加工対象の板金Ｗを載せる加工テーブル２１と、門型のＸ軸キャリッジ２２と、Ｙ軸キャリッジ２３と、Ｙ軸キャリッジ２３に固定されたコリメータユニット３０と、加工ヘッド３５とを有する。板金Ｗはステンレス鋼であっても、軟鋼であってもよく、材料は限定されない。
【００２１】
Ｘ軸キャリッジ２２は、加工テーブル２１上でＸ軸方向に移動自在に構成されている。Ｙ軸キャリッジ２３は、Ｘ軸キャリッジ２２上でＸ軸に垂直なＹ軸方向に移動自在に構成されている。Ｘ軸キャリッジ２２及びＹ軸キャリッジ２３は、加工ヘッド３５を板金Ｗの面に沿って、Ｘ軸方向、Ｙ軸方向、または、Ｘ軸とＹ軸との任意の合成方向に移動させる移動機構として機能する。
【００２２】
加工ヘッド３５を板金Ｗの面に沿って移動させる代わりに、加工ヘッド３５は位置が固定されていて、板金Ｗが移動するように構成されていてもよい。レーザ加工機１００は、板金Ｗの面に対する加工ヘッド３５の相対的な位置を移動させる移動機構を備えていればよい。
【００２３】
後述するノズル３６の芯出し作業時に、移動機構は、加工ヘッド３５を光センサユニット９０の上方へと移動させる。または、移動機構は、光センサユニット９０を加工ヘッド３５の下方へと移動させてもよい。
【００２４】
加工ヘッド３５には、先端部に円形の開口３６ａを有し、開口３６ａよりレーザビームを射出するノズル３６が取り付けられている。ノズル３６の開口３６ａより射出されたレーザビームは板金Ｗに照射される。アシストガス供給装置８０は、アシストガスとして、板金Ｗがステンレス鋼であれば窒素を、板金Ｗが軟鋼であれば酸素を加工ヘッド３５に供給する。板金Ｗの加工時に、アシストガスは開口３６ａより板金Ｗへと吹き付けられる。なお、いずれの鋼種においても、加工意図に応じて窒素と酸素とを含む混合ガスをアシストガスとして用いることができる。
【００２５】
図２に示すように、コリメータユニット３０は、プロセスファイバ１２より射出された発散光のレーザビームを平行光（コリメート光）に変換するコリメーションレンズ３１を備える。また、コリメータユニット３０は、ガルバノスキャナユニット３２と、ガルバノスキャナユニット３２より射出されたレーザビームをＸ軸及びＹ軸に垂直なＺ軸方向下方に向けて反射させるベンドミラー３３を備える。加工ヘッド３５は、ベンドミラー３３で反射したレーザビームを集束して、板金Ｗに照射する集束レンズ３４を備える。
【００２６】
集束レンズ３４は、光軸方向の位置を調整可能とされている。集束レンズ３４は、板金Ｗに照射されるレーザビームの集束点を調整する集束点調整機構として機能する。
【００２７】
後に詳述するノズル３６の芯出し作業によって、レーザ加工機１００は、ノズル３６の開口３６ａより射出されるレーザビームが開口３６ａの中心点に位置するように芯出しされている。芯出し作業の完了後、基準の状態では、レーザビームは開口３６ａの中心点より射出される。
【００２８】
ガルバノスキャナユニット３２は、コリメーションレンズ３１より射出されたレーザビームを反射するスキャンミラー３２１と、スキャンミラー３２１を所定の角度となるように回転させる駆動部３２２とを有する。また、ガルバノスキャナユニット３２は、スキャンミラー３２１より射出されたレーザビームを反射するスキャンミラー３２３と、スキャンミラー３２３を所定の角度となるように回転させる駆動部３２４とを有する。
【００２９】
ガルバノスキャナユニット３２は、加工ヘッド３５内を進行して開口３６ａより射出されるレーザビームの開口３６ａ内での位置を変位させるビーム変位機構として機能する。ビーム変位機構は、ノズル芯出し装置の一部を構成する。
【００３０】
駆動部３２２及び３２４は、ＮＣ装置５０による制御に基づき、それぞれ、スキャンミラー３２１及び３２３を所定の角度範囲で往復振動させることもできる。スキャンミラー３２１とスキャンミラー３２３とのいずれか一方または双方を往復振動させることによって、ガルバノスキャナユニット３２は、板金Ｗに照射されるレーザビームを振動させることができる。即ち、ＮＣ装置５０は、板金Ｗの加工時に、ガルバノスキャナユニット３２を、加工ヘッド３５内を進行して開口３６ａより射出されるレーザビームを、開口３６ａ内で振動させるビーム振動機構として機能させることもできる。
【００３１】
ガルバノスキャナユニット３２はビーム変位機構及びビーム振動機構の一例であり、ビーム変位機構及びビーム振動機構はガルバノスキャナユニット３２に限定されない。
【００３２】
図３は、スキャンミラー３２１とスキャンミラー３２３とのいずれか一方または双方が傾けられて、板金Ｗに照射されるレーザビームの位置が変位した状態を示している。ここでは、レーザビームを板金Ｗに照射した場合を示すが、レーザビームを光センサユニット９０に照射した場合も同様である。図３において、ベンドミラー３３で折り曲げられて集束レンズ３４を通過する細実線は、レーザ加工機１００が基準の状態であるときのレーザビームの光軸を示している。
【００３３】
なお、詳細には、ベンドミラー３３の手前に位置しているガルバノスキャナユニット３２の作動により、ベンドミラー３３に入射するレーザビームの光軸の角度が変化し、光軸がベンドミラー３３の中心から外れる。図３では、簡略化のため、ガルバノスキャナユニット３２の作動前後でベンドミラー３３へのレーザビームの入射位置を同じ位置としている。
【００３４】
ガルバノスキャナユニット３２による作用によって、レーザビームの光軸が細実線で示す位置から太実線で示す位置へと変位したとする。ベンドミラー３３で反射するレーザビームが角度θで傾斜したとすると、板金Ｗへのレーザビームの照射位置は距離Δｓだけ変位する。集束レンズ３４の焦点距離をＥＦＬ（Effective Focal Length）とすると、距離Δｓは、ＥＦＬ×ｓｉｎθで計算される。
【００３５】
ガルバノスキャナユニット３２がレーザビームを図３に示す方向とは逆方向に角度θだけ傾ければ、板金Ｗへのレーザビームの照射位置を図３に示す方向とは逆方向に距離Δｓだけ変位させることができる。距離Δｓは開口３６ａの半径より長い距離とすることができる。
【００３６】
図４に示すように、光センサユニット９０は、保護ガラス９１と、フィルタ９２と、光センサ９３とを備える。保護ガラス９１と、フィルタ９２と、光センサ９３とは、一点鎖線にて示すレーザビームの進行方向に、互いに所定の間隔を有して配置されている。
【００３７】
保護ガラス９１は、光センサ９３の汚れを防止するために設けられている。保護ガラス９１の表面には反射防止コーティングが施されていることが好ましい。フィルタ９２は、光センサ９３が検出する測定光を透過させて、それ以外を遮断するバンドパスフィルタとして機能する。また、フィルタ９２は、測定光を減衰させる減衰フィルタとして機能する。フィルタ９２は、入射した測定光のうち、フィルタ９２の面にほぼ直交して進行する成分のみを光センサ９３に入射させる機能を有していてもよい。また、フィルタ９２は、レーザビームの波長を可視光の波長に波長変換して光センサ９３に入射させる機能を有していてもよい。
【００３８】
光センサ９３は、ノズル３６の開口３６ａの面積よりも大きい面積を有する受光面を備える。光センサ９３は、入射するレーザビームの位置（座標）を検出する。光センサ９３にレーザビームが入射されると、光センサ９３は射されるレーザビームの強度に応じたセンサ出力値を生成する。光センサ９３は、フォトダイオードで構成することができる。
【００３９】
フィルタ９２と光センサ９３との間に、拡散板を配置してもよい。光センサユニット９０内にベンドミラーを配置して、進行方向を曲げたレーザビームを光センサ９３に入射してもよい。光センサユニット９０の構成は、図４に示す構成に限定されない。
【００４０】
オペレータが操作部４０によって芯出し作業の開始を指示すると、ＮＣ装置５０は、加工ヘッド３５を光センサユニット９０の上方へと移動させる。ノズル３６の芯出し作業時に、ＮＣ装置５０は、板金Ｗの加工時に板金Ｗに照射するレーザビームのパワーよりも低いパワーのレーザビームを射出するようレーザ発振器１０を制御する。
【００４１】
加工ヘッド３５は、低パワーのレーザビームを測定光として光センサユニット９０に照射する。ＮＣ装置５０は、光センサユニット９０が測定光を検出したセンサ出力値を用いてノズル３６の芯出し作業を実行する。光センサユニット９０からのセンサ出力値は、必要に応じて、ＮＣ装置５０内で、または、外部のＡ／Ｄ変換器によってデジタル値に変換されて、芯出し作業を実行するために利用される。以下、芯出し作業の具体的な実施例を説明する。
【実施例１】
【００４２】
図５は、ノズル３６の内部から開口３６ａ側を見て、レーザビームがノズル３６の開口３６ａを通過する状態を概念的に示している。図７以降のノズル３６を示す図においても同様である。図５において、符号ＬＢａは、ノズル３６内を進行するレーザビームの開口３６ａを含む平面におけるビーム断面を示す。レーザビームの位置は、開口３６ａの中心点３６ｃｔｒに対して、＋Ｘ方向及び−Ｙ方向にずれているとする。
【００４３】
ＮＣ装置５０は、図５に右向き矢印で示すように、レーザビームを例えば＋Ｘ方向に変位させるようガルバノスキャナユニット３２を制御する。図６の（ａ）は、レーザビームの＋Ｘまたは−Ｘ方向の位置を示している。図６の（ｂ）は、レーザビームを変位させたときに生成されるセンサ出力値の波形を示している。
【００４４】
図５において、レーザビームが＋Ｘ方向に変位してノズル３６の内周面に到達すると、光センサ９３にほとんどレーザビームが照射されなくなるので、図６の（ｂ）に示すように、センサ出力値は０近くまで低下する。ＮＣ装置５０は、センサ出力値が０近傍に設定した閾値Ｔｈ以下となった時点の図６の（ａ）に示すＸ方向の位置Ｘ１が開口３６ａの一方の端部であると検出する。開口３６ａの端部とは、開口３６ａのうち、加工ヘッド３５の内周面に接している部分である。
【００４５】
ここで、測定光としてのレーザビームがノズル３６の内周面に照射されると、レーザビームはノズル３６に吸収されるか、または反射する。ノズル３６の内周面で反射したレーザビームは散乱光となる。上記のようにフィルタ９２が透過させる測定光の角度選択性を有すれば散乱光は光センサ９３にほとんど入射されず、光センサ９３が生成するセンサ出力値は０近くまで低下する。フィルタ９２が測定光の角度選択性を有していなくても、光センサ９３が検出する散乱光の強度は測定光の全光強度のうちのごく一部である。よって、散乱光が光センサ９３に入射したときに生成されるセンサ出力値は、測定光が開口３６ａを通過して光センサ９３に入射したときに生成されるセンサ出力値よりも大幅に低下する。
【００４６】
レーザビームがノズル３６の内周面に到達したらレーザビームの変位を停止させた後、ＮＣ装置５０は、図５に左向き矢印で示すように、レーザビームを−Ｘ方向に変位させるようガルバノスキャナユニット３２を制御する。
【００４７】
同様に、レーザビームが−Ｘ方向に変位してノズル３６の内周面に到達すると、図６の（ｂ）に示すように、センサ出力値は再び０近くまで低下する。ＮＣ装置５０は、センサ出力値が閾値Ｔｈ以下となった時点の図６の（ａ）に示すＸ方向の位置Ｘ２が開口３６ａの他方の端部であると検出する。
【００４８】
図７に示すように、ＮＣ装置５０は、位置Ｘ１と位置Ｘ２とを結ぶ線の中央位置Ｘ０を算出し、レーザビームを中央位置Ｘ０に変位させるようガルバノスキャナユニット３２を制御する。図７において、ビーム断面ＬＢａは二点鎖線で示す位置から実線で示す位置へと変位する。
【００４９】
ＮＣ装置５０は、レーザビームが中央位置Ｘ０に位置している状態で、図７に上向き矢印で示すように、レーザビームを、位置Ｘ１と位置Ｘ２とを結ぶ線と直交する方向の例えば＋Ｙ方向に変位させるようガルバノスキャナユニット３２を制御する。同様に、ＮＣ装置５０は、センサ出力値が閾値Ｔｈ以下となった時点のＹ方向の位置Ｙ１（図８参照）が開口３６ａの一方の端部であると検出する。
【００５０】
レーザビームがノズル３６の内周面に到達したらレーザビームの変位を停止させた後、ＮＣ装置５０は、図７に下向き矢印で示すように、レーザビームを−Ｙ方向に変位させるようガルバノスキャナユニット３２を制御する。ＮＣ装置５０は、センサ出力値が閾値Ｔｈ以下となった時点のＹ方向の位置Ｙ２（図８参照）が開口３６ａの他方の端部であると検出する。
【００５１】
図８に示すように、ＮＣ装置５０は、位置Ｙ１と位置Ｙ２とを結ぶ線の中央位置Ｙ０を算出する。中央位置Ｙ０は、図５に示す中心点３６ｃｔｒに相当する。ＮＣ装置５０は、レーザビームを中央位置Ｙ０に変位させるようガルバノスキャナユニット３２を制御する。これによって、ノズル３６の芯出しが完了する。
【００５２】
図９に示すフローチャートを用いて、実施例１によるノズル芯出し方法を説明する。図９において、ＮＣ装置５０は、操作部４０によって芯出し作業の開始が指示されると、ステップＳ１０１にて、加工ヘッド３５を光センサユニット９０の上方へと移動させる。ＮＣ装置５０は、ステップＳ１０２にて、レーザビーム（測定光）を光センサユニット９０に照射する。
【００５３】
ＮＣ装置５０は、ステップＳ１０３にて、レーザビームをガルバノスキャナユニット３２によって＋Ｘ方向へと変位させて、センサ出力値が閾値Ｔｈ以下となったら、変位を停止させる。ＮＣ装置５０は、変位を停止させたＸ方向の位置Ｘ１を保持する。ＮＣ装置５０は、ステップＳ１０４にて、レーザビームをガルバノスキャナユニット３２によって−Ｘ方向へと変位させて、センサ出力値が閾値Ｔｈ以下となったら、変位を停止させる。ＮＣ装置５０は、変位を停止させたＸ方向の位置Ｘ２を保持する。
【００５４】
ＮＣ装置５０は、ステップＳ１０５にて、位置Ｘ１と位置Ｘ２とに基づいてＸ方向の中央位置Ｘ０を算出する。ステップＳ１０３とステップＳ１０４とは逆であってもよい。ＮＣ装置５０は、ステップＳ１０６にて、レーザビームの位置がＸ方向の中央位置Ｘ０に位置するように、レーザビームをガルバノスキャナユニット３２によって変位させる。
【００５５】
ＮＣ装置５０は、ステップＳ１０７にて、レーザビームをガルバノスキャナユニット３２によって＋Ｙ方向へと変位させて、センサ出力値が閾値Ｔｈ以下となったら、変位を停止させる。ＮＣ装置５０は、変位を停止させたＹ方向の位置Ｙ１を保持する。ＮＣ装置５０は、ステップＳ１０８にて、レーザビームをガルバノスキャナユニット３２によって−Ｙ方向へと変位させて、センサ出力値が閾値Ｔｈ以下となったら、変位を停止させる。ＮＣ装置５０は、変位を停止させたＹ方向の位置Ｙ２を保持する。
【００５６】
ＮＣ装置５０は、ステップＳ１０９にて、位置Ｙ１と位置Ｙ２とに基づいてＹ方向の中央位置Ｙ０を算出する。ステップＳ１０７とステップＳ１０８とは逆であってもよい。ＮＣ装置５０は、ステップＳ１１０にて、レーザビームの位置がＹ方向の中央位置Ｙ０に位置するように、レーザビームをガルバノスキャナユニット３２によって変位させる。以上の処理によってノズル３６の芯出しが完了する。
【００５７】
ＮＣ装置５０は、ステップＳ１１１にて、レーザビームの照射を停止させて、処理を終了させる。図９においては、Ｘ方向の中央位置Ｘ０を算出した後にＹ方向の中央位置Ｙ０を算出しているが、Ｙ方向の中央位置Ｙ０を算出した後にＸ方向の中央位置Ｘ０を算出してもよい。ＮＣ装置５０は、表示部４２にノズル３６の芯出しが完了した旨を表示して、オペレータに通知してもよい。
【００５８】
図９において、ステップＳ１０２からステップＳ１１１までの間、レーザビームを照射し続けている必要はない。センサ出力値が閾値Ｔｈ以下となる位置を検出できればよく、ステップＳ１０２からステップＳ１１１までの間の適時のタイミングでレーザビームのオンとオフとを切り替えてもよい。
【実施例２】
【００５９】
図１０において、図示していないレーザビームは開口３６ａ内の任意の位置（当初位置）に位置している。ＮＣ装置５０は、ガルバノスキャナユニット３２によって、レーザビームを任意の方向に、互いに異なる角度で２回、開口３６ａの両端部を検出するように変位させる。
【００６０】
図１０に示すように、ＮＣ装置５０は、１回目の変位によって位置Ｐ１及びＰ２を検出して保持し、２回目の変位によって位置Ｐ３及びＰ４を検出して保持する。ＮＣ装置５０は、位置Ｐ１及びＰ２を結ぶ線の中央位置に直交する直線と、位置Ｐ３及びＰ４を結ぶ線の中央位置に直交する直線との交点Ｐ０を開口３６ａの中心点３６ｃｔｒと検出する。
【００６１】
ＮＣ装置５０は、当初位置に位置しているレーザビームを交点Ｐ０に位置させるようガルバノスキャナユニット３２を制御する。これによって、ノズル３６の芯出しが完了する。
【実施例３】
【００６２】
実施例２においては開口３６ａの端部の４点に基づいて中心点３６ｃｔｒを検出しているが、図１１に示すように、端部の３点に基づいて中心点３６ｃｔｒを検出することができる。図１１に示すように、ＮＣ装置５０は、１回目の変位によって位置Ｐ５及びＰ６を検出して保持し、例えば位置Ｐ５を通る２回目の変位によって位置Ｐ７を検出して保持する。ＮＣ装置５０は、位置Ｐ５及びＰ６を結ぶ線の中央位置に直交する直線と、位置Ｐ５及びＰ７を結ぶ線の中央位置に直交する直線との交点Ｐ０を開口３６ａの中心点３６ｃｔｒと検出する。
【００６３】
ＮＣ装置５０は、当初位置に位置しているレーザビームを交点Ｐ０に位置させるようガルバノスキャナユニット３２を制御する。これによって、ノズル３６の芯出しが完了する。
【実施例４】
【００６４】
図１２に示すように、ＮＣ装置５０は、ガルバノスキャナユニット３２によって、レーザビームを任意の方向に、開口３６ａの端部の２点を検出するように変位させる。ＮＣ装置５０は、１回目の変位によって位置Ｐ１１及びＰ１２を検出して保持する。１回目の変位はＸ方向であってもよいし、Ｙ方向であってもよい。
【００６５】
ＮＣ装置５０は、ガルバノスキャナユニット３２によって、レーザビームを、位置Ｐ１２を通り、位置Ｐ１１及びＰ１２を結ぶ線と直交する方向に、開口３６ａの端部を検出するように変位させる。ＮＣ装置５０は、２回目の変位によって位置Ｐ１３を検出して保持する。
【００６６】
ＮＣ装置５０は、位置Ｐ１１と位置Ｐ１３とを結ぶ線の中央位置Ｐ０を算出して、開口３６ａの中心点３６ｃｔｒを検出する。ＮＣ装置５０は、当初位置に位置しているレーザビームを中央位置Ｐ０に変位させるようガルバノスキャナユニット３２を制御する。これによって、ノズル３６の芯出しが完了する。
【実施例５】
【００６７】
以上説明した実施例１〜４においては、ノズル３６の芯出し作業のみを実行したが、ノズル３６の芯出しを完了させた後に、ノズル３６（開口３６ａ）の形状の異常を検出するようにしてもよい。図１３は、開口３６ａの形状の異常の例を示している。ノズル３６の内周面に異物３７が付着し、ノズル３６の内周面の一部が欠けて窪み３８が形成されている。例えば、異物３７は板金Ｗの加工時に飛散した溶融金属が付着して固化したスパッタであり、窪み３８は飛散した溶融金属がノズル３６の内周面をえぐることによって形成される。
【００６８】
図１４に示すように、ＮＣ装置５０は、ガルバノスキャナユニット３２によって、開口３６ａの中心点３６ｃｔｒに位置しているレーザビームを開口３６ａの半径ｒだけ例えば＋Ｘ方向に変位させる。ここでの半径ｒの距離とは、ビーム断面ＬＢａが位置している開口３６ａを含む平面における距離である。レーザビームを開口３６ａの半径ｒだけ変位させると、レーザビームのほぼ半分の光がノズル３６の内周面で遮られる状態となる。
【００６９】
半径ｒの距離とは厳密な半径ｒの距離に限定されるものではなく、半径ｒに相当するある幅を持った距離のうち、選択された距離であってもよい。ノズル３６の形状に応じて、最適な半径ｒが異なっていてもよい。
【００７０】
ＮＣ装置５０は、ガルバノスキャナユニット３２によって、レーザビームを、中心点３６ｃｔｒを中心として少なくとも１周、周回させた後に、中心点３６ｃｔｒに戻す。
【００７１】
なお、レーザビームをガルバノスキャナユニット３２によって変位させると、レーザビームは開口３６ａを含む平面に対して直角ではない所定の角度を有して光センサユニット９０に向けて進行していく。よって、レーザビームが開口３６ａの半径ｒだけ変位した位置は、光センサ９３によって、レーザビームが半径ｒにわずかな距離を加算した距離だけ変位した位置として検出される。
【００７２】
図１５Ａに示すように、ノズル３６の内周面に異物３７または窪み３８がなく、開口３６ａの形状が正常であれば、レーザビームを周回させる時刻ｔ１から時刻ｔ２までの時間において、センサ出力値はほぼ一定となる。ＮＣ装置５０は、センサ出力値が閾値Ｔｈ１〜Ｔｈ２の設定範囲内であれば、ノズル３６は正常であると判定する。
【００７３】
図１５Ｂに示すように、ノズル３６の内周面に異物３７または窪み３８が存在して、開口３６ａの形状が異常であれば、時刻ｔ１から時刻ｔ２までの時間において、センサ出力値はほぼ一定とならず、閾値Ｔｈ１を超えたり、閾値Ｔｈ２を下回ったりすることがある。異物３７が存在すると遮られるレーザビームが多くなるので、センサ出力値に閾値Ｔｈ２を下回る凹部３７０が生じ、窪み３８が存在すると遮られるレーザビームが少なくなるので、センサ出力値に閾値Ｔｈ１を超える凸部３８０が生じる。
【００７４】
ＮＣ装置５０は、センサ出力値が閾値Ｔｈ１〜Ｔｈ２の設定範囲内になければ、ノズル３６は異常であると判定する。
【００７５】
図１６に示すフローチャートを用いて、実施例５によるノズル３６の形状異常の検出方法を説明する。形状異常の検出開始が指示される前に、実施例１〜４のいずれかによってノズル３６の芯出しが完了しているとする。図１６において、ＮＣ装置５０は、操作部４０によって形状異常の検出開始が指示されると、ステップＳ５０１にて、ノズル径（開口３６ａの直径）を取得する。ＮＣ装置５０は、加工条件データベース７０に記憶されていて操作部４０によって選択された加工条件によって、ノズル径を取得することができる。
【００７６】
ＮＣ装置５０は、ステップＳ５０２にて、加工ヘッド３５を光センサユニット９０の上方へと移動させる。ＮＣ装置５０は、ステップＳ５０３にて、レーザビーム（測定光）を光センサユニット９０に照射する。ノズル３６の芯出し作業に続けてノズル３６の形状異常を検出する場合には、ステップＳ５０２（またはステップＳ５０２及びＳ５０３）は省略される。
【００７７】
ＮＣ装置５０は、ガルバノスキャナユニット３２によって、ステップＳ５０４にて、レーザビームを開口３６ａの半径ｒだけ＋Ｘ方向に変位させ、ステップＳ５０５にて、レーザビームを周回させてセンサ出力値を取得する。ステップＳ５０４にてレーザビームを半径ｒ分の距離変位させる方向は＋Ｘ方向に限定されず、任意の方向でよい。
【００７８】
ＮＣ装置５０は、ステップＳ５０６にて、センサ出力値が設定範囲内にあるか否かを判定する。センサ出力値が設定範囲内にあれば（YES）、ＮＣ装置５０は、ステップＳ５０７にて、ノズル３６は正常であることを通知して、処理をステップＳ５０９に移行させる。センサ出力値が所定の範囲内になければ（NO）、ＮＣ装置５０は、ステップＳ５０８にて、ノズル３６は異常であることを通知して、処理をステップＳ５０９に移行させる。一例として、ＮＣ装置５０は、表示部４２にノズル３６が正常であるか異常であるかの判定結果を表示すればよい。
【００７９】
ＮＣ装置５０は、ステップＳ５０９にて、レーザビームをノズル３６の中心点３６ｃｔｒに戻し、ステップＳ５１０にて、レーザビームの照射を停止して、処理を終了させる。
【実施例６】
【００８０】
図１７に示すように、ノズル３６の芯出しが完了しており、レーザビームが開口３６ａの中心点３６ｃｔｒに位置しているとする。図１８の（ａ）に示すように、ＮＣ装置５０は、ガルバノスキャナユニット３２によって、レーザビームを開口３６ａの半径だけ＋Ｘ方向に変位させて周回させた後に中心点３６ｃｔｒに戻す。すると、図１８の（ｂ）に示すように、レーザビームを周回させる時刻ｔ１から時刻ｔ２までの時間において、センサ出力値は閾値Ｔｈ１〜Ｔｈ２の設定範囲内のほぼ一定値Ｖｍとなる。ここでは、ノズル３６の内周面に異物３７または窪み３８はなく、ノズル３６の形状は正常であるとする。
【００８１】
図１９は、ノズル３６の芯出し前の状態で、レーザビームが開口３６ａの中心点３６ｃｔｒに位置していない状態の一例を示している。図１９は、レーザビームが中心点３６ｃｔｒに対して＋Ｘ及び＋Ｙ方向に変位した状態を示している。図１７と同様に、図２０の（ａ）に示すようにレーザビームを周回させると、時刻ｔ１から時刻ｔ２までの時間においてセンサ出力値は一定値Ｖｍとはならず、ノズル３６の内周面によって遮られてセンサ出力値が小さくなる範囲と、遮られずにセンサ出力値が大きくなる範囲が発生する。
【００８２】
光センサユニット９０におけるフィルタ９２を、測定光における特定の波長のみを透過させ、直進する光のみを光センサ９３に入射させるように構成する。すると、図２０の（ｂ）に示すように、センサ出力値を最大値Ｖｍａｘと最小値Ｖｍｉｎとが明確な波形とすることができる。レーザビームが開口３６ａの中心点３６ｃｔｒに位置していないとき、センサ出力値は閾値Ｔｈ１〜Ｔｈ２の設定範囲内に収まらない。
【００８３】
レーザビームが中心点３６ｃｔｒからずれる方向によって、センサ出力値が小さくなる範囲と大きくなる範囲が変化するから、最大値Ｖｍａｘと最小値Ｖｍｉｎの位置に基づいてレーザビームのずれの方向を判別できる。
【００８４】
図２１Ａ〜図２１Ｄは、それぞれ、レーザビームが、＋Ｘ方向、−Ｘ方向、＋Ｙ方向、−Ｙ方向にずれたときのセンサ出力値の波形を示している。図２１Ｅ〜図２１Ｈは、それぞれ、レーザビームが、＋Ｘ及び＋Ｙ方向、＋Ｘ及び−Ｙ方向、−Ｘ及び＋Ｙ方向、−Ｘ及び−Ｙ方向にずれたときのセンサ出力値の波形を示している。図２１Ｅは、図２０の（ｂ）と同じである。
【００８５】
ＮＣ装置５０は、図２１Ａ〜図２１Ｈに示すようなセンサ出力値の波形に基づいて、レーザビームのずれの方向を算出することができる。仮に、センサ出力値に最大値Ｖｍａｘと最小値Ｖｍｉｎの位置が明確に現れない場合であっても、センサ出力値が小さくなる範囲の中央位置をずれの方向とすることができる。
【００８６】
図２２に示すフローチャートを用いて、実施例６によるノズル３６のノズル芯出し方法を説明する。レーザビームは開口３６ａ内の任意の位置である当初位置に位置している。ＮＣ装置５０は、芯出し作業の開始が指示されると、ステップＳ６０１にて、ノズル径を取得する。ＮＣ装置５０は、ステップＳ６０２にて、加工ヘッド３５を光センサユニット９０の上方へと移動させる。ＮＣ装置５０は、ステップＳ６０３にて、レーザビーム（測定光）を光センサユニット９０に照射する。
【００８７】
ＮＣ装置５０は、ガルバノスキャナユニット３２によって、ステップＳ６０４にて、当初位置に位置しているレーザビームを開口３６ａの半径ｒだけ＋Ｘ方向に変位させ、ステップＳ６０５にて、レーザビームを周回させてセンサ出力値を取得する。ステップＳ６０４にてレーザビームを半径ｒ分の距離変位させる方向は＋Ｘ方向に限定されず、任意の方向でよい。
【００８８】
ＮＣ装置５０は、ステップＳ６０６にて、センサ出力値が設定範囲内にあるか否かを判定する。センサ出力値が設定範囲内にあれば、当初位置は開口３６ａの中心点３６ｃｔｒということであり、センサ出力値が設定範囲内になければ、当初位置は開口３６ａの中心点３６ｃｔｒとずれているということである。センサ出力値が設定範囲内にあれば（YES）、ＮＣ装置５０は、ステップＳ６０９にて、レーザビームをノズル３６の中心点３６ｃｔｒに戻し、ステップＳ６１０にて、レーザビームの照射を停止して、処理を終了させる。
【００８９】
ステップＳ６０６にてセンサ出力値が設定範囲内になければ（NO）、ＮＣ装置５０は、ステップＳ６０７にて、ずれの方向としての角度θａを算出する。ＮＣ装置５０は、ステップＳ６０８にて、ガルバノスキャナユニット３２によって、当初位置に位置しているレーザビームを所定の距離だけずれを低減させる方向に変位させて、処理をステップＳ６０４に戻す。具体的には、ＮＣ装置５０は、レーザビームを、算出されたずれの方向とは反対方向である角度（θａ＋１８０）の方向に変位させればよい。ステップＳ６０８における所定の距離は例えば０．０２ｍｍである。
【００９０】
ＮＣ装置５０がステップＳ６０４〜Ｓ６０８の処理を繰り返すことにより、レーザビームの回転中心位置は開口３６ａの中心点３６ｃｔｒにほぼ一致し、センサ出力値は設定範囲内となる。これにより、ステップＳ６０６にてセンサ出力値が設定範囲内にあると判定され、ステップＳ６０９及びＳ６１０を経て、ノズル３６の芯出しが完了する。
【００９１】
図２３は、レーザビームの当初位置が開口３６ａの中心点３６ｃｔｒとずれていて、ＮＣ装置５０がステップＳ６０４〜Ｓ６０８の処理を繰り返すことにより、設定範囲内に収まっていないセンサ出力値が設定範囲内に収まっていく波形の変化の例を示している。図２３の（ａ）は、図２１Ｇに示す−Ｘ及び＋Ｙ方向にずれたときのセンサ出力値の波形を例としている。
【００９２】
ＮＣ装置５０がステップＳ６０４〜Ｓ６０８の処理を繰り返すことにより、図２３の（ａ）に示す波形は図２３の（ｂ）に示すように振幅が小さくなっていく。ＮＣ装置５０がさらにステップＳ６０４〜Ｓ６０８の処理を繰り返すことにより、図２３の（ｂ）に示す波形は図２３の（ｃ）に示すように振幅がさらに小さくなって設定範囲内に収まる。
【実施例７】
【００９３】
図２４に示すフローチャートを用いて、実施例７によるノズル３６のノズル芯出し方法を説明する。レーザビームは開口３６ａ内の任意の位置である当初位置に位置している。図２４に示すステップＳ７０１〜Ｓ７０７は、図２２に示すステップＳ６０１〜Ｓ６０７と同じであり、説明を省略する。
【００９４】
ＮＣ装置５０は、ステップＳ７０８にて、ガルバノスキャナユニット３２によって、レーザビームをセンサ出力値が設定範囲内の値となるまで角度θａの方向に変位させて、距離Ｌ１を算出する。ＮＣ装置５０は、距離Ｌ１を算出したらレーザビームを元の位置に戻す。ＮＣ装置５０は、ステップＳ７０９にて、ガルバノスキャナユニット３２によって、レーザビームをセンサ出力値が設定範囲内の値となるまで角度θａとは反対方向に変位させて、距離Ｌ２を算出する。ＮＣ装置５０は、距離Ｌ２を算出したらレーザビームを元の位置に戻す。
【００９５】
図２５は、ステップＳ７０８及びＳ７０９におけるレーザビームの変位、及び、距離Ｌ１及びＬ２の算出の処理の一例を示している。
【００９６】
ＮＣ装置５０は、ステップＳ７１０にて、ガルバノスキャナユニット３２によって、レーザビームを角度θａの方向に距離（Ｌ１−Ｌ２）／２だけ変位させる。距離（Ｌ１−Ｌ２）／２は負の値となるので、レーザビームの位置は角度θａとは反対方向に変位される。これによって、レーザビームは開口３６ａの中心点３６ｃｔｒへと近付く。
【００９７】
ＮＣ装置５０は、ステップＳ７１１にて、ガルバノスキャナユニット３２によってレーザビームを半径（Ｌ１＋Ｌ２）／２で周回させて、センサ出力値を取得する。ＮＣ装置５０は、ステップＳ７１２にて、センサ出力値が設定範囲内にあるか否かを判定する。センサ出力値が設定範囲内にあれば、ステップＳ７０７〜Ｓ７１０の処理によってレーザビームが当初位置から中心点３６ｃｔｒへと変位したということであり、センサ出力値が設定範囲内になければ、レーザビームの変位が不足しているということである。
【００９８】
ステップＳ７１２にてセンサ出力値が設定範囲内にあれば（YES）、ＮＣ装置５０は、ステップＳ７１３にて、レーザビームをノズル３６の中心点３６ｃｔｒに戻し、ステップＳ７１４にて、レーザビームの照射を停止して、処理を終了させる。
【００９９】
ステップＳ７１２にてセンサ出力値が設定範囲内になければ（NO）、ＮＣ装置５０は処理をステップＳ７０７に戻して、ステップＳ７０７〜Ｓ７１２の処理を繰り返す。テップＳ７０７〜Ｓ７１２の処理を繰り返すことにより、レーザビームは当初位置から中心点３６ｃｔｒへと変位し、ステップＳ７１３及びＳ７１４を経て、ノズル３６の芯出しが完了する。
【実施例８】
【０１００】
図２６に示すフローチャートを用いて、実施例８によるノズル３６のノズル芯出し方法を説明する。レーザビームは開口３６ａ内の任意の位置である当初位置に位置している。図２６に示すステップＳ８０１〜Ｓ８０７は、図２２に示すステップＳ６０１〜Ｓ６０７と同じであり、説明を省略する。
【０１０１】
ＮＣ装置５０は、ステップＳ８０８にて、センサ出力値の最大値Ｖｍａｘと最小値Ｖｍｉｎとの平均値Ｖａを算出する。ＮＣ装置５０は、ステップＳ８０９にて、ガルバノスキャナユニット３２によって、レーザビームをセンサ出力値が平均値Ｖａとなるまで角度θａの方向に変位させる。レーザビームの位置をセンサ出力値が平均値Ｖａとなるまで角度θａの方向に変位させると、レーザビームはほぼノズル３６の内周面に到達する。
【０１０２】
ＮＣ装置５０は、ステップＳ８１０にて、ガルバノスキャナユニット３２によって、レーザビームを、ステップＳ８０９で変位させた位置から、角度θａとは反対方向に開口３６ａの半径ｒだけ変位させる。図２７は、ステップＳ８０９及びＳ８１０におけるレーザビームを変位させる処理の一例を示している。
【０１０３】
ＮＣ装置５０は、ステップＳ８１１にて、ガルバノスキャナユニット３２によってレーザビームを周回させてセンサ出力値を取得する。ＮＣ装置５０は、ステップＳ８１２にて、センサ出力値が設定範囲内にあるか否かを判定する。センサ出力値が設定範囲内にあれば、レーザビームは当初位置から中心点３６ｃｔｒへと変位したということであり、センサ出力値が設定範囲内になければ、レーザビームは中心点３６ｃｔｒへと変位していないということである。
【０１０４】
ステップＳ８１２にてセンサ出力値が設定範囲内にあれば（YES）、ＮＣ装置５０は、ステップＳ８１３にて、レーザビームをノズル３６の中心点３６ｃｔｒに戻し、ステップＳ８１４にて、レーザビームの照射を停止して、処理を終了させる。
【０１０５】
ステップＳ８１２にてセンサ出力値が設定範囲内になければ（NO）、ＮＣ装置５０は、ステップＳ８１５にて、センサ出力値が設定範囲外の状態を所定回数繰り返したか否かを判定する。所定回数繰り返していなければ（NO）、ＮＣ装置５０は、処理をステップＳ８０７に戻して、ステップＳ８０７〜Ｓ８１２の処理を繰り返す。
【０１０６】
加工ヘッド３５に取り付けられているノズル３６のノズル径が加工条件で設定されているノズル径と同じであれば、ＮＣ装置５０がテップＳ８０７〜Ｓ８１２の処理を繰り返すことにより、レーザビームは中心点３６ｃｔｒへと変位する。よって、ステップＳ８１２にてセンサ出力値が設定範囲内にあると判定され、ステップＳ７１３及びＳ７１４を経て、ノズル３６の芯出しが完了する。
【０１０７】
しかしながら、図２８に示すように、加工ヘッド３５に取り付けられているノズル３６のノズル径が加工条件で設定されているノズル径と異なると、ＮＣ装置５０がステップＳ８０７〜Ｓ８１２の処理を繰り返してもレーザビームは中心点３６ｃｔｒへと変位しない。図２８は、加工ヘッド３５に取り付けられているノズル３６のノズル径が加工条件で設定されているノズル径よりも大きい場合を示しており、大小関係が逆の場合も同様である。加工ヘッド３５に取り付けられているノズル３６のノズル径が加工条件で設定されているノズル径と異なると、センサ出力値が設定範囲外の状態が繰り返される。
【０１０８】
そこで、ステップＳ８１５にてセンサ出力値が設定範囲外の状態を所定回数繰り返していれば（YES）、ＮＣ装置５０は、ステップＳ８１６にて、ノズル径が異なることを通知して、処理をステップＳ８１３に移行させる。このとき、ステップＳ８１３においては、レーザビームを中心点３６ｃｔｒに戻すのではなく、当初位置または当初位置をわずかに補正した程度の位置に戻せばよい。
【０１０９】
実施例８によれば、加工ヘッド３５に取り付けられているノズル３６のノズル径が加工条件で設定されているノズル径と同じであれば、ノズル３６の芯出しを完了させることができる。実施例８によれば、加工ヘッド３５に取り付けられているノズル３６のノズル径が加工条件で設定されているノズル径と異なれば、オペレータにノズル径が異なることを通知することができる。
【実施例９】
【０１１０】
図２９に示すように、ＮＣ装置５０は、ガルバノスキャナユニット３２によって、ノズル３６の内周面の全体を走査するようにレーザビームを変位させる。これによって、ＮＣ装置５０は、開口３６ａの形状、大きさ、及び中心点３６ｃｔｒを検出することができる。
【実施例１０】
【０１１１】
図３０に示すように、ＮＣ装置５０は、ガルバノスキャナユニット３２によって、ノズル３６の内周面の全体を複数の径で円形に走査するようにレーザビームを変位させる。これによって、ＮＣ装置５０は、開口３６ａの形状、大きさ、及び中心点３６ｃｔｒを検出することができる。
【０１１２】
実施例１〜５、９及び１０によるノズル３６の芯出し方法（及び形状異常の判定方法）は、ＮＣ装置５０を図３１に示すように構成することによって実行できる。ＮＣ装置５０は、機能的な内部構成として、Ａ／Ｄ変換器５０１、データ保持部５０２、中心算出部５０３、ビーム変位制御部５０４、移動機構制御部５０５、形状判定部５０６、表示制御部５０７を有する。
【０１１３】
図３１において、オペレータが操作部４０によって芯出し作業の開始を指示すると、移動機構制御部５０５は、移動機構であるＸ軸キャリッジ２２及びＹ軸キャリッジ２３の駆動部２２０及び２３０を制御して、加工ヘッド３５を光センサユニット９０の上方へと移動させる。ＮＣ装置５０は、低パワーのレーザビームを射出するようレーザ発振器１０を制御する。移動機構制御部５０５は、ビーム変位制御部５０４に加工ヘッド３５の移動が完了したことを通知する。
【０１１４】
加工ヘッド３５が光センサユニット９０の上方へと移動してレーザビームが光センサユニット９０に照射されると、ビーム変位制御部５０４は、実施例１〜５、９及び１０で説明したように、ノズル３６の開口３６ａより射出されるレーザビームを変位させる。
【０１１５】
Ａ／Ｄ変換器５０１は、光センサ９３から供給されたセンサ出力値をデジタル信号に変換する。データ保持部５０２は、デジタル信号に変換されたセンサ出力値を保持する。中心算出部５０３は、レーザビームが開口３６ａの端部の少なくとも３点に照射されたとき、データ保持部５０２に保持されたセンサ出力値に基づいて少なくとも３点の位置を検出し、検出した少なくとも３点の位置に基づいて、開口３６ａの中心点３６ｃｔｒを算出する。
【０１１６】
また、データ保持部５０２は、中心点３６ｃｔｒを算出する過程で必要な位置情報を保持する。実施例１においては、データ保持部５０２は、位置Ｘ０、Ｘ１、Ｘ２、Ｙ１、Ｙ２を示す情報を保持する。実施例２においては、データ保持部５０２は、位置Ｐ１〜Ｐ４を示す情報を保持する。実施例３においては、データ保持部５０２は、位置Ｐ５〜Ｐ７を示す情報を保持する。実施例９及び１０においては、データ保持部５０２は、開口３６ａの端部の複数の点の位置情報を保持する。
【０１１７】
ビーム変位制御部５０４は、開口３６ａより射出されるレーザビームを、中心算出部５０３が算出した中心点３６ｃｔｒに位置させるようにビーム変位機構であるガルバノスキャナユニット３２の駆動部３２２及び３２４を制御する。これによって、ノズル３６の芯出しが完了する。
【０１１８】
実施例５のようにノズル３６（開口３６ａ）の形状が正常であるか否かを判定する場合には、ビーム変位制御部５０４は、中心点３６ｃｔｒに位置しているレーザビームを開口３６ａの半径ｒだけ変位させ、中心点３６ｃｔｒを中心として周回させるように駆動部３２２及び３２４を制御する。ビーム変位制御部５０４には、加工条件データベース７０からノズル径を示す情報を取得する。
【０１１９】
形状判定部５０６は、レーザビームが周回しているときに生成されて、データ保持部５０２から供給されたセンサ出力値が設定範囲内に収まっているか否かに基づいて、ノズル３６の形状が正常であるか否かを判定する。
【０１２０】
表示制御部５０７は、ノズル３６の芯出しが完了したら、表示部４２に芯出しが完了したことを示す文字または画像を表示するよう制御してもよい。表示制御部５０７は、表示部４２に形状判定部５０６による判定結果を示す文字または画像を表示するよう制御してもよい。
【０１２１】
実施例６〜８によるノズル３６の芯出し方法は、ＮＣ装置５０を図３２に示すように構成することによって実行できる。ＮＣ装置５０は、機能的な内部構成として、Ａ／Ｄ変換器５０１、データ保持部５０２、ずれ方向算出部５０８、ビーム変位制御部５０４、移動機構制御部５０５、表示制御部５０７を有する。図３２において、図３１と共通部分の説明を省略することがある。
【０１２２】
ビーム変位制御部５０４は、開口３６ａ内の任意の当初位置に位置しているレーザビームを半径ｒだけ変位させ、その当初位置を中心として周回させるように駆動部３２２及び３２４を制御する。ずれ方向算出部５０８は、レーザビームが周回しているときに生成されて、データ保持部５０２から供給されたセンサ出力値が設定範囲内に収まっているか否かを判定する。ずれ方向算出部５０８は、センサ出力値が設定範囲内に収まっていると判定すれば、レーザビームは中心点３６ｃｔｒに位置していると判定する。
【０１２３】
ずれ方向算出部５０８は、センサ出力値が設定範囲内に収まっていないと判定すれば、中心点３６ｃｔｒに対する当初位置のずれの方向を算出する。ビーム変位制御部５０４は、当初位置に位置しているレーザビームを当初位置からずれの方向とは反対方向へと所定の距離だけ変位させるように駆動部３２２及び３２４を制御する。これによって、レーザビームは当初位置から補正位置へと変位する。
【０１２４】
同様に、ビーム変位制御部５０４は、補正位置に位置しているレーザビームを半径ｒだけ変位させ、その補正位置を中心として周回させるように駆動部３２２及び３２４を制御する。ずれ方向算出部５０８は、センサ出力値が設定範囲内に収まっているか否かを判定する。ずれ方向算出部５０８は、センサ出力値が設定範囲内に収まっていると判定すれば、レーザビームは中心点３６ｃｔｒに位置していると判定する。
【０１２５】
ずれ方向算出部５０８は、センサ出力値が設定範囲内に収まっていないと判定すれば、中心点３６ｃｔｒに対する補正位置のずれの方向を算出する。ビーム変位制御部５０４は、ずれを低減させる方向に補正位置をさらに変位させるように駆動部３２２及び３２４を制御する。ビーム変位制御部５０４は、ずれ方向算出部５０８が、センサ出力値が設定範囲内に収まっていると判定するまで、ずれの方向とは反対方向へと補正位置を変位させる制御を繰り返す。これによってレーザビームは当初位置から中心点３６ｃｔｒへと変位して、ノズル３６の芯出しが完了する。
【０１２６】
以上のようにノズル３６の芯出しが完了した後、レーザ加工機１００は、レーザビームによって板金を切断する。前述のように、ガルバノスキャナユニット３２は、レーザビームを振動させるビーム振動機構としても機能する。レーザ加工機１００は、ガルバノスキャナユニット３２によってレーザビームを振動させながら、板金を切断することができる。
【０１２７】
図３３及び図３４は、レーザビームを振動させる振動パターンの例を示している。板金Ｗの切断進行方向をｘ方向、板金Ｗの面内でｘ方向と直交する方向をｙ方向とする。図３３及び図３４は、振動パターンを理解しやすいよう、加工ヘッド３５をｘ方向に移動させない状態での振動パターンを示している。
【０１２８】
図３３に示すように、ガルバノスキャナユニット３２は、ＮＣ装置５０による制御に基づいて、振動パターンの第１の例として、ビームスポットＢｓをビームスポットＢｓの進行によって形成された溝Ｗｋ内でｘ方向に振動させる。この振動パターンを平行振動パターンと称することとする。
【０１２９】
レーザビームを振動させない状態で板金Ｗに形成される溝Ｗｋはカーフ幅Ｋ１を有する。レーザビームを平行振動パターンで振動させると、ビームスポットＢｓは溝Ｗｋ内で振動するので、カーフ幅Ｋ１は変化しない。
【０１３０】
図３４に示すように、ガルバノスキャナユニット３２は、ＮＣ装置５０による制御に基づいて、振動パターンの第２の例として、ビームスポットＢｓをｙ方向に振動させる。この振動パターンを直交振動パターンと称することとする。直交振動パターンを用いると、溝Ｗｋはカーフ幅Ｋ１よりも広いカーフ幅Ｋ２となる。
【０１３１】
なお、図３３に示す平行振動パターン、図３４に示す直交振動パターンのいずれも、実際には、加工ヘッド３５が切断進行方向に移動しながらレーザビームが振動するので、図３３または図３４に示す振動パターンに切断進行方向（ｘ方向）の変位を加えた振動パターンとなる。
【０１３２】
レーザ加工機１００が板金Ｗを切断する際に、ガルバノスキャナユニット３２がレーザビームを振動させるときの図３に示す距離Δｓは開口３６ａの半径ｒ未満の距離であり、好ましくは、開口３６ａの半径ｒから所定の余裕量だけ引いた距離を最大距離とした最大距離以下の距離である。
【０１３３】
レーザ加工機１００が板金Ｗを切断する際にガルバノスキャナユニット３２によって平行振動パターンでレーザビームを振動させると、板金Ｗを高速に切断することができる。レーザ加工機１００が板金を切断する際にガルバノスキャナユニット３２によって直交振動パターンでレーザビームを振動させると、板厚が厚くても板金Ｗを高速に切断面の品質がよく切断することができる。
【０１３４】
このように、レーザ加工機１００は、板金Ｗの切断速度を速くしたり、切断面の品質を向上させたりするために、ガルバノスキャナユニット３２を備えることがある。この場合、ノズル３６の芯出しを実行するため専用にガルバノスキャナユニット３２を設ける必要がない。レーザ加工機１００がガルバノスキャナユニット３２を備える場合には、光センサユニット９０を設けて、ソフトウェア（コンピュータプログラム）によってＮＣ装置５０に実施例１〜１０のいずれかのノズル芯出し方法を実行させればよいため、コストアップはわずかである。
【０１３５】
本発明は以上説明した１またはそれ以上の実施形態に限定されるものではなく、本発明の要旨を逸脱しない範囲において種々変更可能である。ノズル３６の芯出しを、ＮＣ装置５０とは別のＮＣ装置５０と連携する制御装置で実行してもよい。ノズル芯出し装置を構成する際のハードウェアとソフトウェアとの使い分けは任意である。図３１または図３２に示すＮＣ装置５０内の構成を回路（集積回路）で構成してもよい。
【符号の説明】
【０１３６】
１０  レーザ発振器
１２  プロセスファイバ
２０  レーザ加工ユニット
３０  コリメータユニット
３１  コリメーションレンズ
３２  ガルバノスキャナユニット
３３  ベンドミラー
３４  集束レンズ
３５  加工ヘッド
３６  ノズル
３６ａ  開口
４０  操作部
４２  表示部
５０  ＮＣ装置
６０  加工プログラムデータベース
７０  加工条件データベース
８０  アシストガス供給装置
９０  光センサユニット
９１  保護ガラス
９２  フィルタ
９３  光センサ
１００  レーザ加工機
３２１，３２３  スキャンミラー
３２２，３２４  駆動部
Ｗ  板金
【図１】
2019155403.tif 000003
【図２】
2019155403.tif 000004
【図３】
2019155403.tif 000005
【図４】
2019155403.tif 000006
【図５】
2019155403.tif 000007
【図６】
2019155403.tif 000008
【図７】
2019155403.tif 000009
【図８】
2019155403.tif 000010
【図９】
2019155403.tif 000011
【図１０】
2019155403.tif 000012
【図１１】
2019155403.tif 000013
【図１２】
2019155403.tif 000014
【図１３】
2019155403.tif 000015
【図１４】
2019155403.tif 000016
【図１５Ａ】
2019155403.tif 000017
【図１５Ｂ】
2019155403.tif 000018
【図１６】
2019155403.tif 000019
【図１７】
2019155403.tif 000020
【図１８】
2019155403.tif 000021
【図１９】
2019155403.tif 000022
【図２０】
2019155403.tif 000023
【図２１Ａ】
2019155403.tif 000024
【図２１Ｂ】
2019155403.tif 000025
【図２１Ｃ】
2019155403.tif 000026
【図２１Ｄ】
2019155403.tif 000027
【図２１Ｅ】
2019155403.tif 000028
【図２１Ｆ】
2019155403.tif 000029
【図２１Ｇ】
2019155403.tif 000030
【図２１Ｈ】
2019155403.tif 000031
【図２２】
2019155403.tif 000032
【図２３】
2019155403.tif 000033
【図２４】
2019155403.tif 000034
【図２５】
2019155403.tif 000035
【図２６】
2019155403.tif 000036
【図２７】
2019155403.tif 000037
【図２８】
2019155403.tif 000038
【図２９】
2019155403.tif 000039
【図３０】
2019155403.tif 000040
【図３１】
2019155403.tif 000041
【図３２】
2019155403.tif 000042
【図３３】
2019155403.tif 000043
【図３４】
2019155403.tif 000044
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
加工ヘッドの先端に取り付けられたノズルの開口より射出されるレーザビームを変位させるビーム変位機構と、
前記開口より射出されたレーザビームが入射され、入射されるレーザビームの強度に応じたセンサ出力値を生成する光センサと、
前記ビーム変位機構によるレーザビームの変位を制御するビーム変位制御部と、
前記ビーム変位制御部が前記ビーム変位機構によるレーザビームの変位を制御してレーザビームが前記ノズルの内周面に接する前記開口の端部の少なくとも４点に照射されたとき、前記光センサが生成したセンサ出力値に基づいて前記少なくとも４点の位置を検出し、検出した前記少なくとも４点の位置に基づいて、前記開口の中心点を算出する中心算出部と、
を備え、
前記ビーム変位制御部は、レーザビームを第１の方向に変位させるよう前記ビーム変位機構を制御し、
前記中心算出部は、レーザビームが前記第１の方向に変位されたときの前記開口の端部の第１及び第２の点を検出して、前記第１及び第２の点を結ぶ第１の線の第１の中央位置を算出し、
前記ビーム変位制御部は、レーザビームを前記第１の中央位置を通って前記第１の線と直交する第２の方向に変位させるよう前記ビーム変位機構を制御し、
前記中心算出部は、レーザビームが前記第２の方向に変位されたときの前記開口の端部の第３及び第４の点を検出して、前記第３及び第４の点を結ぶ第２の線の第２の中央位置を前記中心点として算出し、
前記ビーム変位制御部は、
前記開口より射出されるレーザビームを、前記中心点に位置させるように前記ビーム変位機構を制御し、
前記中心点に位置しているレーザビームを前記開口の半径だけ変位させ、前記中心点を中心として周回させるように前記ビーム変位機構を制御し、
レーザビームが周回しているときに前記光センサが生成したセンサ出力値が設定範囲内に収まっているか否かに基づいて、前記開口の形状が正常であるか否かを判定する形状判定部をさらに備える
レーザ加工機におけるノズル芯出し装置。
【請求項２】
加工ヘッドの先端に取り付けられたノズルの開口より射出されるレーザビームを変位させるビーム変位機構と、
前記開口より射出されたレーザビームが入射され、入射されるレーザビームの強度に応じたセンサ出力値を生成する光センサと、
前記開口内の任意の位置に位置しているレーザビームを前記開口の半径だけ変位させ、前記任意の位置を中心として周回させるように前記ビーム変位機構を制御するビーム変位制御部と、
レーザビームが周回しているときに前記光センサが生成したセンサ出力値が設定範囲内に収まっているか否かを判定し、前記センサ出力値が設定範囲内に収まっていないと判定したとき、前記開口の中心点に対する前記任意の位置のずれの方向を算出し、前記センサ出力値が前記設定範囲内に収まっていると判定したとき、レーザビームは前記開口の中心点に位置していると判定するずれ方向算出部と、
を備えるレーザ加工機におけるノズル芯出し装置。
【請求項３】
前記ずれ方向算出部が、前記センサ出力値が設定範囲内に収まっていないと判定したとき、前記センサ出力値が前記設定範囲内に収まっていると判定するまで、前記ビーム変位制御部は、前記開口内のレーザビームを前記任意の位置から前記ずれ方向算出部によって算出されたずれの方向とは反対方向へと変位させるように前記ビーム変位機構を制御する請求項２に記載のレーザ加工機におけるノズル芯出し装置。
【請求項４】
ビーム変位制御部が、加工ヘッドの先端に取り付けられたノズルの開口より射出されるレーザビームを第１の方向に変位させるようビーム変位機構を制御し、
前記ビーム変位機構がレーザビームを前記第１の方向に変位させたときに、光センサが、前記開口より射出されたレーザビームを受光して、受光したレーザビームの強度に応じたセンサ出力値を生成し、
中心算出部が、前記光センサが生成したセンサ出力値に基づいて、レーザビームが前記第１の方向に変位されたときの前記ノズルの内周面に接する前記開口の端部の第１及び第２の点を検出して、前記第１及び第２の点を結ぶ第１の線の第１の中央位置を算出し、
前記ビーム変位制御部が、前記開口より射出されるレーザビームを前記第１の中央位置を通って前記第１の線と直交する第２の方向に変位させるよう前記ビーム変位機構を制御し、
前記ビーム変位機構がレーザビームを前記第２の方向に変位させたときに、前記光センサが、前記開口より射出されたレーザビームを受光し、受光したレーザビームの強度に応じたセンサ出力値を生成し、
前記中心算出部が、前記光センサが生成したセンサ出力値に基づいて、レーザビームが前記第２の方向に変位されたときの前記開口の端部の第３及び第４の点を検出して、前記第３及び第４の点を結ぶ第２の線の第２の中央位置を前記開口の中心点として算出し、
前記ビーム変位制御部が、前記開口より射出されるレーザビームを、前記中心点に位置させるよう前記ビーム変位機構を制御し、
前記ビーム変位制御部が、前記中心点に位置しているレーザビームを前記開口の半径だけ変位させ、前記中心点を中心として周回させるよう前記ビーム変位機構を制御し、
形状判定部が、レーザビームが周回しているときに前記光センサが生成したセンサ出力値が設定範囲内に収まっているか否かに基づいて、前記開口の形状が正常であるか否かを判定する
レーザ加工機におけるノズル芯出し方法。
【請求項５】
ビーム変位機構が、加工ヘッドの先端に取り付けられたノズルの開口内の任意の位置に位置して前記開口より射出されるレーザビームを、前記開口の半径だけ変位させ、前記任意の位置を中心として周回させ、
光センサが、前記開口より射出されたレーザビームを受光して、受光したレーザビームの強度に応じたセンサ出力値を生成し、
ずれ方向算出部が、
レーザビームが周回しているときに前記光センサが生成したセンサ出力値が設定範囲内に収まっているか否かを判定し、
前記センサ出力値が設定範囲内に収まっていないと判定したとき、前記開口の中心点に対する前記任意の位置のずれの方向を算出し、
前記センサ出力値が前記設定範囲内に収まっていると判定したとき、レーザビームは前記開口の中心点に位置していると判定する
レーザ加工機におけるノズル芯出し方法。
【請求項６】
前記ずれ方向算出部が、前記センサ出力値が設定範囲内に収まっていないと判定したとき、前記センサ出力値が前記設定範囲内に収まっていると判定するまで、ビーム変位制御部が、前記開口内のレーザビームを前記任意の位置から前記ずれ方向算出部によって算出されたずれの方向とは反対方向へと変位させるように前記ビーム変位機構を制御する請求項５に記載のレーザ加工機におけるノズル芯出し方法。
【手続補正２】
【補正対象書類名】明細書
【補正対象項目名】０００８
【補正方法】変更
【補正の内容】
【０００８】
１またはそれ以上の実施形態の第１の態様によれば、加工ヘッドの先端に取り付けられたノズルの開口より射出されるレーザビームを変位させるビーム変位機構と、前記開口より射出されたレーザビームが入射され、入射されるレーザビームの強度に応じたセンサ出力値を生成する光センサと、前記ビーム変位機構によるレーザビームの変位を制御するビーム変位制御部と、前記ビーム変位制御部が前記ビーム変位機構によるレーザビームの変位を制御してレーザビームが前記ノズルの内周面に接する前記開口の端部の少なくとも４点に照射されたとき、前記光センサが生成したセンサ出力値に基づいて前記少なくとも４点の位置を検出し、検出した前記少なくとも４点の位置に基づいて、前記開口の中心点を算出する中心算出部とを備え、前記ビーム変位制御部は、レーザビームを第１の方向に変位させるよう前記ビーム変位機構を制御し、前記中心算出部は、レーザビームが前記第１の方向に変位されたときの前記開口の端部の第１及び第２の点を検出して、前記第１及び第２の点を結ぶ第１の線の第１の中央位置を算出し、前記ビーム変位制御部は、レーザビームを前記第１の中央位置を通って前記第１の線と直交する第２の方向に変位させるよう前記ビーム変位機構を制御し、前記中心算出部は、レーザビームが前記第２の方向に変位されたときの前記開口の端部の第３及び第４の点を検出して、前記第３及び第４の点を結ぶ第２の線の第２の中央位置を前記中心点として算出し、前記ビーム変位制御部は、前記開口より射出されるレーザビームを、前記中心点に位置させるように前記ビーム変位機構を制御し、前記中心点に位置しているレーザビームを前記開口の半径だけ変位させ、前記中心点を中心として周回させるように前記ビーム変位機構を制御し、レーザビームが周回しているときに前記光センサが生成したセンサ出力値が設定範囲内に収まっているか否かに基づいて、前記開口の形状が正常であるか否かを判定する形状判定部をさらに備えるレーザ加工機におけるノズル芯出し装置が提供される。
【手続補正３】
【補正対象書類名】明細書
【補正対象項目名】０００９
【補正方法】変更
【補正の内容】
【０００９】
１またはそれ以上の実施形態の第２の態様によれば、加工ヘッドの先端に取り付けられたノズルの開口より射出されるレーザビームを変位させるビーム変位機構と、前記開口より射出されたレーザビームが入射され、入射されるレーザビームの強度に応じたセンサ出力値を生成する光センサと、前記開口内の任意の位置に位置しているレーザビームを前記開口の半径だけ変位させ、前記任意の位置を中心として周回させるように前記ビーム変位機構を制御するビーム変位制御部と、レーザビームが周回しているときに前記光センサが生成したセンサ出力値が設定範囲内に収まっているか否かを判定し、前記センサ出力値が設定範囲内に収まっていないと判定したとき、前記開口の中心点に対する前記任意の位置のずれの方向を算出し、前記センサ出力値が前記設定範囲内に収まっていると判定したとき、レーザビームは前記開口の中心点に位置していると判定するずれ方向算出部とを備えるレーザ加工機におけるノズル芯出し装置が提供される。
【手続補正４】
【補正対象書類名】明細書
【補正対象項目名】００１０
【補正方法】変更
【補正の内容】
【００１０】
１またはそれ以上の実施形態の第３の態様によれば、ビーム変位制御部が、加工ヘッドの先端に取り付けられたノズルの開口より射出されるレーザビームを第１の方向に変位させるようビーム変位機構を制御し、前記ビーム変位機構がレーザビームを前記第１の方向に変位させたときに、光センサが、前記開口より射出されたレーザビームを受光して、受光したレーザビームの強度に応じたセンサ出力値を生成し、中心算出部が、前記光センサが生成したセンサ出力値に基づいて、レーザビームが前記第１の方向に変位されたときの前記ノズルの内周面に接する前記開口の端部の第１及び第２の点を検出して、前記第１及び第２の点を結ぶ第１の線の第１の中央位置を算出し、前記ビーム変位制御部が、前記開口より射出されるレーザビームを前記第１の中央位置を通って前記第１の線と直交する第２の方向に変位させるよう前記ビーム変位機構を制御し、前記ビーム変位機構がレーザビームを前記第２の方向に変位させたときに、前記光センサが、前記開口より射出されたレーザビームを受光し、受光したレーザビームの強度に応じたセンサ出力値を生成し、前記中心算出部が、前記光センサが生成したセンサ出力値に基づいて、レーザビームが前記第２の方向に変位されたときの前記開口の端部の第３及び第４の点を検出して、前記第３及び第４の点を結ぶ第２の線の第２の中央位置を前記開口の中心点として算出し、前記ビーム変位制御部が、前記開口より射出されるレーザビームを、前記中心点に位置させるよう前記ビーム変位機構を制御し、前記ビーム変位制御部が、前記中心点に位置しているレーザビームを前記開口の半径だけ変位させ、前記中心点を中心として周回させるよう前記ビーム変位機構を制御し、形状判定部が、レーザビームが周回しているときに前記光センサが生成したセンサ出力値が設定範囲内に収まっているか否かに基づいて、前記開口の形状が正常であるか否かを判定するレーザ加工機におけるノズル芯出し方法が提供される。
【手続補正５】
【補正対象書類名】明細書
【補正対象項目名】００１１
【補正方法】変更
【補正の内容】
【００１１】
１またはそれ以上の実施形態の第４の態様によれば、ビーム変位機構が、加工ヘッドの先端に取り付けられたノズルの開口内の任意の位置に位置して前記開口より射出されるレーザビームを、前記開口の半径だけ変位させ、前記任意の位置を中心として周回させ、光センサが、前記開口より射出されたレーザビームを受光して、受光したレーザビームの強度に応じたセンサ出力値を生成し、ずれ方向算出部が、レーザビームが周回しているときに前記光センサが生成したセンサ出力値が設定範囲内に収まっているか否かを判定し、前記センサ出力値が設定範囲内に収まっていないと判定したとき、前記開口の中心点に対する前記任意の位置のずれの方向を算出し、前記センサ出力値が前記設定範囲内に収まっていると判定したとき、レーザビームは前記開口の中心点に位置していると判定するレーザ加工機におけるノズル芯出し方法が提供される。
【手続補正６】
【補正対象書類名】明細書
【補正対象項目名】００４４
【補正方法】変更
【補正の内容】
【００４４】
図５において、レーザビームが＋Ｘ方向に変位してノズル３６の内周面に到達すると、光センサ９３にほとんどレーザビームが照射されなくなるので、図６の（ｂ）に示すように、センサ出力値は０近くまで低下する。ＮＣ装置５０は、センサ出力値が０近傍に設定した閾値Ｔｈ以下となった時点の図６の（ａ）に示すＸ方向の位置Ｘ１が開口３６ａの一方の端部であると検出する。開口３６ａの端部とは、開口３６ａのうち、ノズル３６の内周面に接している部分である。